(57)【特許請求の範囲】
【請求項１】
スライド自在に支持されるとともに突出方向にばね付勢されて所定範囲内でフロート自在となっているトリマー刃と、該トリマー刃にそのフロートのための所定範囲を越えるスライド動作を行わせる操作部とを具備する電気かみそりであって、トリマー刃と操作部とを連結させて操作部の操作にトリマー刃を連動させる連結係合部が切り離し自在となっているとともに、上記トリマー刃の上記スライド動作のための操作部の動きを規制するロック手段を備えており、該ロック手段は、操作部の動きの規制解除操作に伴って上記連結係合部を切り離し状態から操作部の操作によるトリマー刃の上記スライド動作を可能とする連結状態に切り替えるものであることを特徴とする電気かみそり。
【請求項２】
ロック手段の操作面が操作部の操作面中に配されていることを特徴とする請求項１記載の電気かみそり。
【請求項３】
ロック手段は、トリマー刃に設けられた弾性部と接して該弾性部により操作部の動きを規制する位置に向けて付勢されていることを特徴とする請求項１または２記載の電気かみそり。
【請求項４】
ロック手段は、操作部によるトリマー刃のスライド動作中、操作部の動きの規制解除位置を保持するものであることを特徴とする請求項１または２または３記載の電気かみそり。
【請求項５】
ロック手段は、トリマー刃のスライドアップ状態でトリマー刃及び操作部の動きを規制するものであることを特徴とする請求項１〜４のいずれか１項に記載の電気かみそり。
【発明の詳細な説明】
【０００１】
【発明の属する技術分野】
本発明は電気かみそり、特にフロート自在に支持されているトリマー刃を備えている電気かみそりに関するものである。
【０００２】
【従来の技術】
トリマー刃を設けるにあたり、該トリマー刃をフロート自在に支持することでトリマー刃と他の刃との協調による髭剃りを適切に行うことができるようにするとともに、トリマー刃をスライドアップさせることによってトリマー刃単独によるきわ剃り等の髭剃りを行えるようにしたものが特開平４−２３１９９１号公報に示されている。
【０００３】
【発明が解決しようとする課題】
上記のトリマー刃は、そのスライドアップ動作のためのスライド釦型の操作部によって支持されたものとなっており、このためにスライドアップしていない状態でのフロート動作も、操作部の支持による影響を受けてしまうものであり、良好なフロート動作を得にくい上に、フロート量を大きくとることが困難であった。
【０００４】
本発明はこのような点に鑑み為されたものであり、その目的とするところはトリマー刃のスライドアップ動作のための操作部の影響を受けることがないフロート動作をトリマー刃に行わせることができる電気かみそりを提供するにある。
【０００５】
【課題を解決するための手段】
しかして本発明は、スライド自在に支持されるとともに突出方向にばね付勢されて所定範囲内でフロート自在となっているトリマー刃と、該トリマー刃にそのフロートのための所定範囲を越えるスライド動作を行わせる操作部とを具備する電気かみそりであって、トリマー刃と操作部とを連結させて操作部の操作にトリマー刃を連動させる連結係合部が切り離し自在となっているとともに、上記トリマー刃の上記スライド動作のための操作部の動きを規制するロック手段を備えており、該ロック手段は、操作部の動きの規制解除操作に伴って上記連結係合部を切り離し状態から操作部の操作によるトリマー刃の上記スライド動作を可能とする連結状態に切り替えるものであることに特徴を有している。操作部の操作でトリマー刃をスライドアップさせていない状態では、操作部とトリマー刃とが切り離された状態にあり、操作部の動きを規制するロック手段を操作して操作部の動きの規制解除を行えば、操作部の操作によるトリマー刃のスライド動作が可能となるようににしたものである。
【０００６】
ここにおけるロック手段は、その操作面を操作部の操作面に配しておくとロック手段と操作部との同時操作が可能となる。
またロック手段はトリマー刃に設けられた弾性部と接して操作部の動きを規制する位置に向けて付勢されているものとしておくと、ロック手段のがたつきを防ぐことができる。
【０００７】
さらにロック手段は、操作部によるトリマー刃のスライド動作中、操作部の動きの規制解除位置を保持するものであれば、トリマー刃をスライドアップさせる際にロック手段を常時操作しておく必要がなくなるために操作性が向上する。
またロック手段が、トリマー刃のスライドアップ状態でトリマー刃及び操作部の動きを規制するものであれば、トリマー刃をスライドアップさせた状態でトリマー刃を押し下げる力が加わっても、操作部にこの力が加わらないために、操作部の操作力を適切に設定することができる。
【０００８】
【発明の実施の形態】
本体５の上端に刃ヘッド１と、刃ヘッド１の両隣に位置する一対のトリマー刃タイプの刃ヘッド２，２とを平行並列に配設した図示の電気かみそりは、これら３個の刃ヘッド２，１，２がモータ４によって同時に駆動されるものとなっている。図２中の８はスイッチ部、９は充電器である。
【０００９】
上記刃ヘッド１，２のうち、主刃である刃ヘッド１は、金属薄板から形成されるとともに多数の刃孔が形成されている外刃１０と、この外刃１０をヒートシールによって保持している矩形枠状の内カセット１１と、外刃１０内面に摺接する内刃１２とからなるもので、内カセット１１は図５に示すようにその両端面に弾性片１３を備えている。
【００１０】
この刃ヘッド１は、外カセット３を介して本体５に装着される。外カセット３は、図５に示すように合成樹脂の成形によって矩形枠状に形成されたもので、その長手方向の両端内面の幅方向中央部に受け片３０を、両側にガイド溝３１を備えており、また幅方向の内面にはガイド溝３２とばね受け３３とを備えている。そして上記刃ヘッド１の外刃１０を備えた内カセット１１は、外カセット３の下方開口から外カセット３内に納められて、弾性片１３が受け片３０の上方側に位置することで抜け止めされるとともに外カセット３に対して上下の小範囲内で可動となる。内カセット１１に設けた突起１５は外カセット３から内カセット１１を取り外す時に指をかけるためのものである。
【００１１】
トリマー刃タイプの２つの刃ヘッド２は、図６に示すように夫々トリマー基台２０とトリマー基台２０の上面に嵌合突起２０１との嵌合で固定される固定刃２１と、この固定刃２１の上面側に配されるとともに嵌合突起２０１によってスライド自在にガイドされる可動刃２２と、トリマー基台２０に連結されてそのばね片２３１によって可動刃２２を固定刃２１側に押さえる押さえばね２３と、押さえばね２３の上面側を覆ってトリマー基台２０に連結される刃カバー２４と、上端が可動刃２２に係合するトリマー駆動子２５と、トリマー基台２０に装着される肌当たりガイド２６と、フロートばね２７とからなるもので、トリマー駆動子２５はトリマー基台２０に設けられた軸２０５によって上下方向中央部が軸支される。図中２０６はトリマー駆動子２５との係合でトリマー駆動子２５の外れを防止するフック、２０７は刃カバー２４の結合孔２４０に差し込まれて刃カバー２４を固定するピンである。
【００１２】
上記肌当たりガイド２６は、トリマー基台２０に組つけられた時、その下端から突設された突片２６２がトリマー基台２０に設けられた弾性を有する押し上げ片２０２の上面に載り、両側から突設されたフック２６１がトリマー基台２０の側面に設けられた係合凹所２０３の上部壁の下面に接することでトリマー基台２０に一体化される。
【００１３】
そして２つの刃ヘッド２，２も上記外カセット３内に配設されるのであるが、この時、トリマー基台２０とガイド溝３２との係合並びに肌当たりガイド２６の上記フック２６１とガイド溝３１との係合によって、外カセット３に対して上下の小範囲においてスライド自在とされる。また肌当たりガイド２６の下面と外カセット３の上記ばね受け３３との間に配されたフロートばね２７によって刃ヘッド２は上方へ付勢される。
【００１４】
刃ヘッド１における内刃１２は、図１に示すように継手５１を介して往復駆動用の駆動子５０に連結されることで往復駆動されるとともに押し上げばね５３によって上方へ付勢されて外刃１０の内面に接する。そして刃ヘッド１も該押し上げばね５３のばね力によってフロート自在となる。上記継手５１は各刃ヘッド２のトリマー駆動子２５の下端部との係合部も有していることから、刃ヘッド１の内刃１２が往復駆動される時、トリマー駆動子２５を介して刃ヘッド２の可動刃２２も往復駆動される。
【００１５】
また刃ヘッド２は、上記フロートばね２７のばね力でフロートしており、刃ヘッド２を肌に押し付けたならば、図８に示すように刃ヘッド２がフロートばね２７に抗して沈むのであるが、刃ヘッド１の内カセット１１から突設した図５に示す突起１４が刃ヘッド２のトリマー基台２０に設けられた下方に開放された係合溝２０８内に位置していることから、刃ヘッド２の沈み動作の途中からは、刃ヘッド１も連動して沈むようになっている。
【００１６】
更に肌当たりガイド２６は、上述のように突片２６２がトリマー基台２０の押し上げ片２０２の上面に載り、フック２６１がトリマー基台２０の係合凹所２０３の上部壁の下面に接しているためにトリマー基台２０に一体化された状態となっており、肌当たりガイド２６が上下動を行う時、トリマー基台２０も同時に上下動を行い、更にトリマー基台２０が上下動を行う時、肌当たりガイド２６も上下動を行う。つまり肌当たりガイド２６とトリマー基台２０とはフロートばね２７によるばね力を受けて同時にフロートするようになっている。
【００１７】
このように形成されたトリマー刃タイプの刃ヘッド２は、その刃カバー２４の上面で且つ刃ヘッド１側の部分に、エラストマー樹脂製の複数条のリブ８０からなる弾性を備えた毛起こし部材８が取り付けられている。各リブ８０が刃ヘッド２の刃先や刃ヘッド１の長手方向と平行に並んでいる髭起こし部材８は、図８に示すように、その上端が刃ヘッド１の上端の高さＨとほぼ同じところに位置しており、このために刃ヘッド１，２を肌Ｓに押し当てた時、毛起こし部材８も肌Ｓに接するものとなっている。
【００１８】
トリマー刃タイプの粗剃り用の刃ヘッド２で毛を切断した後、仕上げ剃り用の主刃である刃ヘッド１で毛を切断するように電気かみそりを動かす時、刃ヘッド２の刃先で毛が切断された部分の肌Ｓは、毛起こし部材８に接してから刃ヘッド１に接するものであり、この時、複数状のリブで構成された弾性を有する毛起こし部材８は、毛に引っ掛かることで毛を起こすとともに、刃ヘッド１との間で肌を引き伸ばすことによって毛を立たせる。寝ている毛であっても刃ヘッド１部分が接する直前に毛起こし部材８が起こしてしまうものであり、毛起こし部材８の部分を通過して再度寝ようとしても、寝てしまう前に刃ヘッド１で捕らえられて切断されるとともに、捕らえられる際の毛の角度は刃ヘッド１の外刃１０に最も導入されやすい角度となっているものであり、刃ヘッド１への毛の導入効率が毛起こし部材８の存在によって大きく向上するものである。
【００１９】
また毛起こし部材８の上端が主刃である刃ヘッド１の頂上位置Ｈとほぼ同じ高さとなるようにしているが、これは刃ヘッド１の頂上位置Ｈよりも毛起こし部材８の上端位置が高すぎると、毛起こし部材８によって刃ヘッド１と肌Ｓとの接触圧を十分に確保することができず、これに伴って毛を短く剃ることができなくなるからであり、また刃ヘッド１の頂上位置Ｈよりも毛起こし部材８の上端位置が低すぎると、毛起こし部材８による毛起こし効果を十分に得られなくなってしまうからである。
【００２０】
ところで、前記肌当たりガイド２６は腋のような柔らかい肌に押し当てた時にも、肌がトリマー刃タイプの刃ヘッド２の可動刃２２や固定刃２１の刃先内に入り込んで傷ついてしまうことがないようにするために設けたものであり、刃ヘッド２と肌当たりガイド２６とは一体化されていると説明したが、一方の刃ヘッド２は外カセット３の外面に配したスライド釦７の操作によって肌当たりガイド２６とトリマー基台２０とが切り離されてトリマー基台２０側の部材のみを上方へ移動させることができるようになっている。また、刃ヘッド２の上記フロート動作の際には、刃ヘッド２のスライドアップのためのスライド釦７は刃ヘッド２から完全に切り離された状態にあって、刃ヘッド２のフロート動作にスライド釦７が影響を与えることがないようになっている。
【００２１】
この点について説明すると、スライド釦７は図７に示すように背方に突出する２対のフック７１，７２を備えているとともに中央にロック釦７０が装着されたもので、これらフック７１，７２とロック釦７０とが外カセット３に設けられた総計５本の上下方向に長い長孔３５，３６，３７に挿通されて外カセット３外面に上下にスライド自在に装着される。そしてロック釦７０はスライド釦７と外カセット３との間に挟まれる形で保持されるとともにスライド釦７背面の非円形凹所７３との嵌合によって回り止めがなされ、さらには先端をトリマー基台２０に設けられた弾性片２０４に当接させている。従って、ロック釦７０は弾性片２０４による付勢を受けていることになり、このためにロック釦７０ががたつくことはない。
【００２２】
今、スライド釦７が下方位置にある時には、ロック釦７０における外カセット３内部に位置する部分が、外カセット３内面で長孔３５の両脇に設けられた突起３８の下方に位置しており、このためにスライド釦７を上方へ動かそうとしても、ロック手段を構成しているロック釦７０と突起３８との当接によって妨げられる。また、この状態ではスライド釦７における両フック７１，７２は刃ヘッド２の上下動を妨げることはなく、このために肌当たりガイド３を含む刃ヘッド２のフロートが自在となっている。
【００２３】
しかし、ロック釦７０を押し込めば、外カセット３の突起３８とロック釦７０との係合が外れるためにスライド釦７を上方へ動かすことが可能となる。また押し込まれたロック釦７０は図９に示すように弾性片２０４を背方へと押してスライド釦７のフック７２の直上に弾性片２０４における係合突起２０９を位置させるために、スライド釦７を上方へ動かせば、トリマー基台２０も押されて上方へ移動する。
【００２４】
そしてこのようにトリマー基台２０が上動する時、外カセット３の内面に設けられた図７に示す解除用突起３９に押し上げ片２０２が乗り上げて背方に撓むために、押し上げ片２０２の上に載っていた肌当たりガイド２６の突片２６２から押し上げ片２０２が外れ、トリマー基台２０の上方への動きに肌当たりガイド２６は追従せず、刃ヘッド２における肌当たりガイド２６を除く部材がスライド釦７に連動して上方へ移動する。なお、この移動中はロック釦７０が突起３８に乗り上げて押し込まれた状態が保たれるために、ロック釦７０を押し込まなくてはいけないのは初期だけである。
【００２５】
スライド釦７がそのスライド範囲の上端位置に達すれば、ロック釦７０が突起３８を乗り越えてしまうために、弾性片２０４による付勢で復帰し、前記突起３８の上方にロック釦７０が位置するために、スライド釦７を下方に動かすことができない状態となる。また、この状態においても図１０から明らかなようにトリマー駆動子２５と継手５１との係合状態が保たれるために、駆動子５０からの往復動が可動刃２２に伝えられるものであり、従って刃ヘッド２によるきわ剃りなどを行うことができる。
【００２６】
刃ヘッド２を元の状態に戻すには、再度ロック釦７０を押しつつスライド釦７を下げればよい。ロック釦７０の突起３８との係合を外した状態でスライド釦７を下方へ動かせば、この時はスライド釦７のフック７１が押し上げ片２０２の根元部分を押し下げることでトリマー基台２０を下方へ移動させる。またトリマー基台２０の下降時、押し上げ片２０２は外カセット３内面の解除用突起３９に乗り上げて背方に撓むことで、肌当たりガイド２６の先端部は突片２６２を乗り越えて突片２６２の下方側に移り、再度肌当たりガイド２６とトリマー基台２０とが一体化される。
【００２７】
刃ヘッド２の図１０に示すスライドアップ状態は、図１１に示すように弾性片２０４が外カセット３に設けられた突起４０上に載ることによって保たれる。このために、刃ヘッド２を肌に押し付けることで刃ヘッド２を押し下げる力が加わっても、スライド釦７にはこの力が加わらず、上記力が大きくてもスライド釦７のフック７１，７２などが破損することはない。
【００２８】
また、上記力が大きいと刃ヘッド２が破損してしまうおそれがあるが、ここでは図１１（ｂ）に示すように、弾性片２０４における突起４０上に載る部分を傾斜面（もしくは突起４０上面を傾斜面）とすることで、刃ヘッド２を押し下げる力が大きい場合にはロック釦７０を押し込んだ時と同じく弾性片２０４が図中右方へと撓んで突起４０から外れるために、そしてこの時点でロック釦７０は弾性片２０４による付勢を受けなくなって突起３８との係合が外れる位置へ移動しやすくなるために、刃ヘッド２は弾性片２０４でフック７２（スライド釦７）を押し下げつつ下方へスライドする。上記力をまともに受けて刃ヘッド２やスライド釦７が破損してしまうことがないものである。
【００２９】
図１２に他例を示す。ここでは弾性片２０４をロック釦７０側に設けて、該弾性片２０４をトリマー基台２０に当接させることで、ロック釦７０を外側へ押し出す付勢力を得ている。そしてロック釦７０を押し込んでいない状態では、刃ヘッド２はスライド釦７やロック釦から切り離された状態でフロート自在となっているが、ロック釦７０を押し込めば、突起３８との係合が外れるとともにロック釦７０の先端がトリマー基台２０における片２０４’の直下に達し、この状態でスライド釦７を上方へ移動させればロック釦７０に片２０４’が押し上げられることで刃ヘッド２も上動する。
【００３０】
【発明の効果】
以上のように本発明においては、スライド自在に支持されるとともに突出方向にばね付勢されて所定範囲内でフロート自在となっているトリマー刃と、該トリマー刃にそのフロートのための所定範囲を越えるスライド動作を行わせる操作部とを具備する電気かみそりにおいて、トリマー刃と操作部とを連結させて操作部の操作にトリマー刃を連動させる連結係合部が切り離し自在となっているとともに、上記トリマー刃の上記スライド動作のための操作部の動きを規制するロック手段を備えており、該ロック手段は、操作部の動きの規制解除操作に伴って上記連結係合部を切り離し状態から操作部の操作によるトリマー刃の上記スライド動作を可能とする連結状態に切り替えるものであるために、操作部の操作でトリマー刃をスライドアップさせていない状態では操作部とトリマー刃とが切り離されており、このためにトリマー刃はそのスライドアップ動作のための操作部の影響を受けることなくフロート動作するものであり、良好なフロート動作を得ることができる上に、トリマー刃のフロート量を大きくとることも容易なものである。
【００３１】
しかも、操作部の動きを規制するロック手段を操作して操作部の動きの規制解除を行えば、操作部の操作によるトリマー刃のスライド動作が可能となるものであり、ロック手段の操作のみで操作部の動きの規制及び解除と、連結係合部の連結切り離しとを行うことができて、操作が煩わしくなってしまうことがない。
またこのロック手段の操作面を操作部の操作面に配しておくとロック手段と操作部との同時操作が可能となるために操作性が更に良好となる。
【００３２】
ロック手段はトリマー刃に設けられた弾性部と接して操作部の動きを規制する位置に向けて付勢されているものとしておくと、ロック手段のがたつきを防ぐことができて、好ましい操作感を得ることができる。
さらに、ロック手段が、操作部によるトリマー刃のスライド動作中、操作部の動きの規制解除位置を保持するものであれば、トリマー刃をスライドアップさせる際にロック手段を常時操作しておく必要がなくなるために操作性をさらに良好なものとすることができる。
【００３３】
またロック手段が、トリマー刃のスライドアップ状態でトリマー刃及び操作部の動きを規制するものであれば、トリマー刃をスライドアップさせた状態でトリマー刃を押し下げる力が加わっても、操作部にこの力が加わらないために、操作部の操作力を適切に設定することができると同時に、スライドアップ状態の保持力も適切に設定することができるものとなる。
【図面の簡単な説明】
【図１】本発明の実施の形態の一例の部分縦断面図である。
【図２】同上の斜視図である。
【図３】同上の平面図である。
【図４】同上の階段横断面図である。
【図５】同上の刃ヘッドと外カセットとスライド釦の分解斜視図である。
【図６】同上のトリマー刃の分解斜視図である。
【図７】同上の外カセットとスライド釦の分解斜視図である。
【図８】同上のフロート時の状態を示す部分縦断面図である。
【図９】同上のロック釦を押し込んでスライドアップさせている途中の状態を示す部分縦断面図である。
【図１０】同上のスライドアップ完了時の状態を示す部分縦断面図である。
【図１１】同上のスライドアップ完了時の刃ヘッドの位置保持状態を示すもので、（ａ）は部分背面図、（ｂ）は部分断面図である。
【図１２】他例における部分背面図である。
【符号の説明】
２  刃ヘッド（トリマー刃）
７  スライド釦
７０  ロック釦
【図１】
0003624564.tif 000002
【図２】
0003624564.tif 000003
【図３】
0003624564.tif 000004
【図４】
0003624564.tif 000005
【図５】
0003624564.tif 000006
【図６】
0003624564.tif 000007
【図７】
0003624564.tif 000008
【図８】
0003624564.tif 000009
【図９】
0003624564.tif 000010
【図１０】
0003624564.tif 000011
【図１１】
0003624564.tif 000012
【図１２】
0003624564.tif 000013